(57)【要約】【課題】第一部材に対する第二部材の開放回動に付与される回動抵抗力の調整設定を簡易に行える汎用性に秀れた構成を簡易構造で実現し、量産性及び実用性に秀れた画期的なヒンジ装置及びヒンジ装置を用いた電子機器を提供する。【解決手段】閉塞保持機構３を解除して第一部材１に対して第二部材２を開放回動する際、第二部材２の開放回動に伴いカム部５とカム係合部６とが係脱し離反方向に移動する構成とし、係合付勢機構７の係合付勢によりこのカム部５とカム係合部６とが係合していない状態から係合しようとする回動付勢力が生じて前記第二部材２の開放回動に対して抵抗が付与するように構成し、前記圧縮バネ７Ａの端部に当接する位置にスペーサ部材８を配し、このスペーサ部材８との当接により圧縮バネ７Ａを圧縮変形せしめることで前記係合付勢機構７の係合付勢による前記第二部材２の開放回動に対する回動抵抗が増大するように構成する。【選択図】図１
2008275048.tif 000002
【特許請求の範囲】
【請求項１】
第一部材と第二部材とを枢着して互いに重合した閉塞状態から開放回動するように構成すると共に、この第一部材と第二部材とは閉塞保持機構を解除することで開放回動付勢機構の回動付勢により第一部材に対して第二部材が閉塞位置から所定の開放角度位置まで開放回動するように構成したヒンジ装置であって、第一部材若しくは第二部材と共に回動するカム部と、第二部材若しくは第一部材と共に回動するカム係合部とを設け、このカム部若しくはカム係合部を係合離反方向にスライド移動自在に設け、このカム部とカム係合部とが係脱して離反方向に移動した際にこの一方を係合方向に圧縮バネにより係合付勢する係合付勢機構を備え、前記閉塞保持機構を解除して第一部材に対して第二部材を開放回動する際、この第二部材の開放回動に伴いカム部とカム係合部とが係脱し離反方向に移動するように構成すると共に、前記係合付勢機構の係合付勢によりこのカム部とカム係合部とが係合していない状態から係合しようとする回動付勢力が生じて前記第二部材の開放回動に対して抵抗が付与されるように構成し、この係合付勢機構の圧縮バネの端部に当接する位置にスペーサ部材を配し、このスペーサ部材との当接により圧縮バネを圧縮変形せしめることで前記係合付勢機構の係合付勢による前記第二部材の開放回動に対する回動抵抗が増大するように構成して、このスペーサ部材の大きさや厚みなどの形状設定により圧縮バネの圧縮変形量を調整設定でき且つ係合付勢機構による前記回動抵抗を調整設定し得るように構成したことを特徴とするヒンジ装置。
【請求項２】
前記開放回動付勢機構は、トーションバネの一端部を第一部材と共に回動するように，他端部を第二部材と共に回動するように設け、前記閉塞保持機構を解除した際、このトーションバネの回動付勢力により第一部材に対して第二部材が開放回動する回動付勢を付与するように構成したことを特徴とする請求項１記載のヒンジ装置。
【請求項３】
前記開放回動付勢機構のトーションバネは、端部を軸方向に沿って延設した延設端部を有する形状とし、このトーションバネの延設端部を挿通する嵌挿部を前記スペーサ部材に形成し、このスペーサ部材の嵌挿部に前記トーションバネの延設端部を抱き込み被嵌状態に配してトーションバネの端部側にスペーサ部材を配した構成としたことを特徴とする請求項２記載のヒンジ装置。
【請求項４】
前記第一部材又はこの第一部材と共に回動する部材，若しくは前記第二部材又はこの第二部材と共に回動する部材に、前記トーションバネの延設端部を嵌挿するバネ端嵌挿部を設け、スペーサ部材の嵌挿部及び前記バネ端嵌挿部に連通状態にして抱き込み被嵌状態にトーションバネの延設端部を配した構成としたことを特徴とする請求項３記載のヒンジ装置。
【請求項５】
開放回動付勢機構のトーションバネ内にこのトーションバネより径小な前記圧縮バネを配し、このトーションバネの延設端部をスペーサ部材の嵌挿部に抱き込み被嵌状態に配してこのトーションバネの端部側にしてトーションバネ内に配した前記圧縮バネの端部に当接する位置にスペーサ部材を配した構成としたことを特徴とする請求項３，４のいずれか１項に記載のヒンジ装置。
【請求項６】
前記閉塞保持機構を解除して、第一部材に対して第二部材を閉塞位置から所定の開放角度位置まで開放回動する際、少なくともこの閉塞位置と所定の開放角度位置の中間部位置から前記所定の開放角度位置までの範囲においては、前記第二部材の開放角度拡大による前記開放回動付勢機構の回動付勢の減衰，及び前記係合付勢機構による前記回動抵抗により前記第二部材の勢いが減速して低速回動状態となり、この低速回動状態のまま前記開放回動付勢機構の回動付勢若しくは前記第二部材の自重により開放回動して前記所定の開放角度位置に到達し得るように前記係合付勢機構による前記回動抵抗を調整設定したことを特徴とする請求項１〜５のいずれか１項に記載のヒンジ装置。
【請求項７】
前記カム部若しくはカム係合部はケース状の取付体に設け、このケース状の取付体内に、この取付体に形成したカム部若しくはカム係合部に対して係合離反方向にスライド移動自在にカム係合部若しくはカム部と、これを係合付勢する前記圧縮バネと、この圧縮バネに当接するスペーサ部材とを収納状態に配した構成としたことを特徴とする請求項１〜６のいずれか１項に記載のヒンジ装置。
【請求項８】
上面に操作部を備えた本体部を前記第一部材若しくは第二部材とし、伏面にディスプレイ部を備えた開閉部を前記第二部材若しくは第一部材とし、この本体部と開閉部との端部同志を前記請求項１〜７のいずれか１項に記載のヒンジ装置Ｈによって枢着連結したことを特徴とするヒンジ装置を用いた電子機器。
【発明の詳細な説明】
【技術分野】
【０００１】
本発明は、例えば、第一部材とこの第一部材に重合配設した第二部材とを開閉回動自在に枢着すると共に、この第一部材に対して重合状態から開放状態に第二部材を開放回動し得るように構成したヒンジ装置、並びにこのヒンジ装置を用いた例えば携帯電話やノート型パソコンなどの電子機器に関するものである。
【背景技術】
【０００２】
本出願人は、国際公開されたＷＯ  ００／５０７８０号公報に示すように、ワンタッチで本体部（例えば操作部）に対して開閉部（例えばディスプレイ部）が開放回動するヒンジ装置を開発した。
【０００３】
このヒンジ装置を例えば折り畳みタイプの携帯電話に適用した場合、本体部に重合閉塞状態に保持されている開閉部を、ヒンジ装置に設けた解除操作部を（押込ボタン）を指で押すだけで、本体部（例えば操作部）に対して閉塞位置（重合位置）に保持されていた例えばディスプレイなどの開閉部を所定の開放角度位置まで自動的に一挙に開放回動できる。
【０００４】
従って、この自動開放機能を果たすヒンジ装置は、本体部と開閉部との閉塞状態を保持する機能を果たしながらも、ワンタッチで開閉部を自動開放し得る構造を実現するものである。しかしながら、ワンタッチで例えばディスプレイ部が一挙に開放するため、その勢いにより、しっかり手で支えていないと、即ち携帯電話においては例えば操作部をしっかり持っていないと、手から落下してしまう恐れがある。
【０００５】
そこで本出願人は、例えば特開２００６−１７７４５５号公報にて、開閉部の開放回動に対して回動抵抗を付与する機構を備えることで、ワンタッチ操作で本体部に対して開閉部が自動的に開放回動を開始するが、ある程度（例えば約９０°）の開放角度位置に達すると開放回動付勢の減衰，及び前記回動抵抗の影響の増大によって徐々に開閉部の勢いが減速され低速回動状態となり、その低速回動状態を保持したまま開閉部が所定（例えば約１８０°）の開放角度位置へとゆっくり到達するように構成したヒンジ装置を提案している。これによれば、ワンタッチ操作で例えばディスプレイ部などの開閉部を自動開放できる上に、その際の開放回動の勢いで例えば操作部などの本体部を手から不意に落下させてしまう上記問題も良好に阻止できる。
【０００６】
【特許文献１】ＷＯ  ００／５０７８０号公報
【特許文献２】特開２００６−１７７４５５号公報
【発明の開示】
【発明が解決しようとする課題】
【０００７】
ところで、このような開閉部の自動開放機能と減速機能とを備えたヒンジ装置の構造を実現するには、開閉部を開放付勢するトーションバネの付勢力や、開閉部自体の自重による開放付勢などの種々の要因を考慮して、開閉部の開放回動に対する回動抵抗を適切な大きさに調整設定する必要がある。即ち、この回動抵抗が小さすぎると開閉部の減速機能が良好に果たされず、また逆に回動抵抗が大きすぎると開閉部が所定の開放角度位置まで到達できず途中で回動停止してしまい本来の自動開放機能が果たされない。
【０００８】
開閉部の開放回動に対するこの回動抵抗は、例えば圧縮バネの付勢力によって実現する構造が一般的であるが、この回動抵抗の大きさは前述の通り微妙な調整設定が必要であるため、この回動抵抗を生ずる圧縮バネを設ける場合その付勢力、即ちバネ圧の調整設定が必須である。
【０００９】
本発明は、例えばトーションバネのバネ圧の変更や開閉部の重量の変更に対応して前述した圧縮バネによる回動抵抗の大きさを変更したい場合、従来においては、変更前の圧縮バネを不採用とし新たに適切なバネ圧を有する別の圧縮バネを適宜採用しているため、それだけ設計変更の度に変更以前の無駄な圧縮バネが生じ、それだけコスト効率が悪く製造コスト高の原因となっている現状に鑑み、圧縮バネの端部に当接する位置にスペーサ部材を配し、このスペーサ部材との弾圧当接により圧縮バネが圧縮変形するように構成し、このスペーサ部材の大きさや厚みなどの形状設定により圧縮バネの圧縮変形量を調整設定し、ひいては圧縮バネのバネ圧に応じた回動抵抗の大きさをもこのスペーサ部材の形状設定により調整設定できる構成を簡易構造により実現し、高い汎用性を有し量産性及びコスト性に秀れた画期的なヒンジ装置及びヒンジ装置を用いた電子機器を提供することを課題とする。
【課題を解決するための手段】
【００１０】
添付図面を参照して本発明の要旨を説明する。
【００１１】
第一部材１と第二部材２とを枢着して互いに重合した閉塞状態から開放回動するように構成すると共に、この第一部材１と第二部材２とは閉塞保持機構３を解除することで開放回動付勢機構４の回動付勢により第一部材１に対して第二部材２が閉塞位置Ｐ１から所定の開放角度位置Ｐ２まで開放回動するように構成したヒンジ装置であって、第一部材１若しくは第二部材２と共に回動するカム部５と、第二部材２若しくは第一部材１と共に回動するカム係合部６とを設け、このカム部５若しくはカム係合部６を係合離反方向にスライド移動自在に設け、このカム部５とカム係合部６とが係脱して離反方向に移動した際にこの一方を係合方向に圧縮バネ７Ａにより係合付勢する係合付勢機構７を備え、前記閉塞保持機構３を解除して第一部材１に対して第二部材２を開放回動する際、この第二部材２の開放回動に伴いカム部５とカム係合部６とが係脱し離反方向に移動するように構成すると共に、前記係合付勢機構７の係合付勢によりこのカム部５とカム係合部６とが係合していない状態から係合しようとする回動付勢力が生じて前記第二部材２の開放回動に対して抵抗が付与されるように構成し、この係合付勢機構７の圧縮バネ７Ａの端部に当接する位置にスペーサ部材８を配し、このスペーサ部材８との当接により圧縮バネ７Ａを圧縮変形せしめることで前記係合付勢機構７の係合付勢による前記第二部材２の開放回動に対する回動抵抗が増大するように構成して、このスペーサ部材８の大きさや厚みなどの形状設定により圧縮バネ７Ａの圧縮変形量を調整設定でき且つ係合付勢機構７による前記回動抵抗を調整設定し得るように構成したことを特徴とするヒンジ装置に係るものである。
【００１２】
また、前記開放回動付勢機構４は、トーションバネ４Ａの一端部を第一部材１と共に回動するように，他端部を第二部材２と共に回動するように設け、前記閉塞保持機構３を解除した際、このトーションバネ４Ａの回動付勢力により第一部材１に対して第二部材２が開放回動する回動付勢を付与するように構成したことを特徴とする請求項１記載のヒンジ装置に係るものである。
【００１３】
また、前記開放回動付勢機構４のトーションバネ４Ａは、端部を軸方向に沿って延設した延設端部４ｔを有する形状とし、このトーションバネ４Ａの延設端部４ｔを挿通する嵌挿部８ａを前記スペーサ部材８に形成し、このスペーサ部材８の嵌挿部８ａに前記トーションバネ４Ａの延設端部４ｔを抱き込み被嵌状態に配してトーションバネ４Ａの端部側にスペーサ部材８を配した構成としたことを特徴とする請求項２記載のヒンジ装置に係るものである。
【００１４】
また、前記第一部材１又はこの第一部材１と共に回動する部材，若しくは前記第二部材２又はこの第二部材２と共に回動する部材に、前記トーションバネ４Ａの延設端部４ｔを嵌挿するバネ端嵌挿部９を設け、スペーサ部材８の嵌挿部８ａ及び前記バネ端嵌挿部９に連通状態にして抱き込み被嵌状態にトーションバネ４Ａの延設端部４ｔを配した構成としたことを特徴とする請求項３記載のヒンジ装置に係るものである。
【００１５】
また、開放回動付勢機構４のトーションバネ４Ａ内にこのトーションバネ４Ａより径小な前記圧縮バネ７Ａを配し、このトーションバネ４Ａの延設端部をスペーサ部材８の嵌挿部８ａに抱き込み被嵌状態に配してこのトーションバネ４Ａの端部側にしてトーションバネ内４Ａに配した前記圧縮バネ７Ａの端部に当接する位置にスペーサ部材８を配した構成としたことを特徴とする請求項３，４のいずれか１項に記載のヒンジ装置に係るものである。
【００１６】
また、前記閉塞保持機構３を解除して、第一部材１に対して第二部材２を閉塞位置Ｐ１から所定の開放角度位置Ｐ２まで開放回動する際、少なくともこの閉塞位置Ｐ１と所定の開放角度位置Ｐ２の中間部位置Ｐ３から前記所定の開放角度位置Ｐ２までの範囲においては、前記第二部材２の開放角度拡大による前記開放回動付勢機構４の回動付勢の減衰，及び前記係合付勢機構７による前記回動抵抗により前記第二部材２の勢いが減速して低速回動状態となり、この低速回動状態のまま前記開放回動付勢機構４の回動付勢若しくは前記第二部材２の自重により開放回動して前記所定の開放角度位置Ｐ２に到達し得るように前記係合付勢機構７による前記回動抵抗を調整設定したことを特徴とする請求項１〜５のいずれか１項に記載のヒンジ装置に係るものである。
【００１７】
また、前記カム部５若しくはカム係合部６はケース状の取付体12に設け、このケース状の取付体12内に、この取付体12に形成したカム部５若しくはカム係合部６に対して係合離反方向にスライド移動自在にカム係合部６若しくはカム部５と、これを係合付勢する前記圧縮バネ７Ａと、この圧縮バネ７Ａに当接するスペーサ部材８とを収納状態に配した構成としたことを特徴とする請求項１〜６のいずれか１項に記載のヒンジ装置に係るものである。
【００１８】
また、上面に操作部10を備えた本体部を前記第一部材１若しくは第二部材２とし、伏面にディスプレイ部11を備えた開閉部を前記第二部材２若しくは第一部材１とし、この本体部と開閉部との端部同志を前記請求項１〜７のいずれか１項に記載のヒンジ装置Ｈによって枢着連結したことを特徴とするヒンジ装置を用いた電子機器に係るものである。
【発明の効果】
【００１９】
本発明は上述のように構成したから、閉塞保持機構を解除することで第一部材に対して第二部材を閉塞位置から所定の開放角度位置まで自動開放できる。
【００２０】
また、このように第一部材に対して第二部材が開放回動する際、係合付勢機構の圧縮バネの係合付勢によりこの第二部材の開放回動に対して抵抗を付与することができる。
【００２１】
しかも本発明は、この係合付勢機構による前記回動抵抗の大きさ（強さ）を、圧縮バネの端部に当接する位置に配するスペーサ部材の形状設定の如何により簡単に調整設定できる。
【００２２】
よって、本発明は、例えば閉塞保持機構を解除して第二部材の自動開放の際に、最初から最後まで勢い良く一挙に開放するのではなく、所定の回動範囲からは、開放回動付勢機構の開放回動の減衰，及び係合付勢機構による回動抵抗の影響により第二部材の勢いが徐々に減速し、ついには低速回動状態となりゆっくりと所定の開放角度位置に到達する、といった良好なワンタッチ開放動作も、スペーサ部材の形状設定により簡易に実現可能である。
【００２３】
従って、本発明は、予めスペーサ部材の形状を適宜設定しておくことで所望の係合付勢機構の回動抵抗を所望の大きさ（強さ）に設定でき、また、必要に応じてスペーサ部材を別の形状のものに取り替えるだけで、圧縮バネは取り替えの必要なく、つまり設計変更の際に変更前までの圧縮バネを不採用とする無駄を排除し回動抵抗の様々な要求にもスペーサ部材の取り替えのみで良好に対応できる秀れた汎用性を有し、よって、それだけ量産性やコスト性に秀れ、しかもこのような秀れた回動抵抗の調整機能は、単にスペーサ部材の形状調整によって実現されるシンプルな構造のため、この点においても量産性に秀れコスト安に設計実現可能であるなど、極めて実用性に秀れた画期的で商品価値の高いヒンジ装置及びヒンジ装置を用いた電子機器となる。
【００２４】
また、請求項２〜４記載の発明においては、本発明の開放回動付勢機構の構造をトーションバネを用いることで容易に実現でき、一層容易に設計実現可能なヒンジ装置となる。
【００２５】
また、この圧縮バネの係合付勢による回動抵抗を調整設定するための前記スペーサ部材によって前記トーションバネの端部（延設端部）を長範囲に亘って抱き込み被嵌し、このバネ端部をしっかりと回り止め状態に保持でき、これにより例えばこのトーションバネが自らの回動付勢力（ねじり力）でバネ全体が撓み変形したり予期せぬよじれ変形を起こしたりすることを防ぐ構成とすることも可能である。
【００２６】
また、請求項５記載の発明においては、トーションバネ内に圧縮バネを収納状態に配してこのトーションバネの端部側にして圧縮バネの端部に当接する位置にスペーサ部材を配することで、トーションバネの端部（延設端部）をスペーサ部材の嵌挿部に抱き込み被嵌し且つこのスペーサ部材で圧縮バネを確実に圧縮変形せしめ且つコンパクト化された装置の構造を簡易に設計実現可能となり、一層実用性に秀れたヒンジ装置となる。
【００２７】
また、請求項６記載の発明においては、閉塞保持機構を解除するワンタッチ動作で第一部材に対して第二部材を閉塞位置から勢い良く開放回動でき、しかも所定の回動位置（中間部位置）からは第二部材の勢いが徐々に減速し、最終的に低速回動状態のままゆっくりと所定の開放回動位置に第二部材が到達する良好な自動開放動作を簡易にして確実に実現できる一層秀れたヒンジ装置となる。
【００２８】
また、請求項７記載の発明においては、カム部若しくはカム係合部のいずれかをケース状の取付体に設け、このケース状の取付体内にカム係合部若しくはカム部，圧縮バネ及びスペーサ部材を収納状態に配することで装置をコンパクト化した構成を簡易に設計実現可能となり、一層実用性に秀れたヒンジ装置となる。
【００２９】
また、請求項８記載の発明においては、上述した秀れた作用効果を発揮し得るヒンジ装置を操作部とディスプレイ部との枢着部に備えた実用性に秀れた電子機器となる。
【発明を実施するための最良の形態】
【００３０】
好適と考える本発明の実施形態（発明をどのように実施するか）を、図面に基づいて本発明の作用を示して簡単に説明する。
【００３１】
本発明は、第一部材１と第二部材２とを枢着して互いに重合した閉塞状態から開放回動するように構成すると共に、この第一部材１と第二部材２とは閉塞保持機構３を解除することで開放回動付勢機構４の回動付勢により第一部材１に対して第二部材２が閉塞位置Ｐ１から所定の開放角度位置Ｐ２まで開放回動するように構成したヒンジ装置である。
【００３２】
また、第一部材１若しくは第二部材２と共に回動するカム部５と、第二部材２若しくは第一部材１と共に回動するカム係合部６とを設け、このカム部５若しくはカム係合部６を係合離反方向にスライド移動自在に設け、このカム部５とカム係合部６とが係脱して離反方向に移動した際にこの一方を係合方向に圧縮バネ７Ａにより係合付勢する係合付勢機構７を備えている。
【００３３】
閉塞保持機構３を解除して第一部材１に対して第二部材２を開放回動すると、これに伴いカム部５とカム係合部６とが係脱し離反方向に移動するが、前記係合付勢機構７の係合付勢によりこのカム部５とカム係合部６とが係合していない状態から係合しようとする回動付勢、即ち閉塞方向の回動付勢が生ずることとなり、これにより第二部材２の開放回動に対して回動抵抗が付与されることとなる。
【００３４】
この圧縮バネ７Ａの係合付勢が大きい程、このカム部５とカム係合部６とが係合していない状態から係合しようとする回動付勢、つまりは第二部材２の開放回動に対する前記回動抵抗が増大する。
【００３５】
本発明では、圧縮バネ７Ａの端部に当接する位置にスペーサ部材８を配し、このスペーサ部材８に対して圧縮バネ７Ａが当接（弾圧当接）することで圧縮バネ７Ａが圧縮変形する。これにより圧縮バネ７Ａのバネ圧が増大し、この圧縮バネ７Ａの係合付勢による前記回動抵抗を増大せしめている。
【００３６】
従って、製造時にこのスペーサ部材８の大きさや厚みなどの形状を予め適宜設定しておけば、このスペーサ部材８の当接による圧縮バネ７Ａの圧縮変形量を調整設定でき、ひいてはこの圧縮バネ７Ａの係合付勢による前記回動抵抗を調整設定できることとなる。
【００３７】
よって、例えば、設計時にこのスペーサ部材８の形状を適宜設定することで、所望の強さ（大きさ）の回動抵抗を容易に実現できるし、必要に応じてこのスペーサ部材８を異なる形状設定のものに取り替えれば、圧縮バネ７Ａを異なるバネ圧のものに取り替え交換しなくとも回動抵抗の大きさを可変調整設定可能で、様々な回動抵抗の要求に良好に対応できる汎用性に秀れた構成となる。
【００３８】
従って、後述する実施例のように、例えば、閉塞保持機構３を解除して、第一部材１に対して第二部材２を閉塞位置Ｐ１から所定の開放角度位置Ｐ２まで開放回動する際、少なくともこの閉塞位置Ｐ１と所定の開放角度位置Ｐ２の中間部位置Ｐ３から前記所定の開放角度位置Ｐ２までの範囲においては、前記第二部材２の開放角度拡大による前記開放回動付勢機構４の回動付勢の減衰，及び前記係合付勢機構７による前記回動抵抗により前記第二部材２の勢いが減速して低速回動状態となり、この低速回動状態のまま前記開放回動付勢機構４の回動付勢若しくは前記第二部材２の自重により開放回動して前記所定の開放角度位置Ｐ２に到達し得るように前記係合付勢機構７による前記回動抵抗を調整設定することも、スペーサ部材８の形状設定により容易に実現可能である。例えば、本発明を折り畳み式の携帯電話の操作部（第一部材１）とディスプレイ（第二部材２）との枢着部に適用すれば、ワンタッチ操作で操作部からディスプレイを開放回動でき、且つディスプレイは所定の開放回動位置まで一挙に開放回動するのではなく、徐々に勢いを減速してゆっくりと所定の開放回動位置に到達することで、この開放回動の衝撃で操作部を不意に手から落下させる心配もないなどの極めて操作性に秀れた良好なワンタッチ自動開放の構造を容易に実現できることとなる。
【００３９】
また、例えば、前記開放回動付勢機構４は、後述の実施例のように、トーションバネ４Ａの一端部を第一部材１と共に回動するように，他端部を第二部材２と共に回動するように設け、前記閉塞保持機構３を解除した際、このトーションバネ４Ａの回動付勢力により第一部材１に対して第二部材２が開放回動する回動付勢を付与するように構成した場合には、前記トーションバネ４Ａにより、閉塞保持機構３を解除した際に第一部材１に対して第二部材２が開放回動する構造を簡易に実現でき、また、第一部材１に対して第二部材２の開放角度拡大によりトーションバネ４Ａのバネ圧が徐々に減衰することにより、開放角度拡大により開放回動付勢が減衰する構造も簡易に実現でき、本発明の開放回動付勢機構４を簡易構造により実現可能となる。
【００４０】
また、このようにトーションバネ４Ａを採用する場合、トーションバネ４Ａが自らの回動付勢力（ねじり力）で、バネ全体が撓み変形したりよじれ変形を起こしたりしてトーションバネ４Ａの回動付勢力をロスし、第二部材２が所期通りの開放回動動作を達成できないなどの不具合が生ずるおそれがある。
【００４１】
この点、本発明では、例えばトーションバネ４Ａは、端部を軸方向に沿って延設した延設端部４ｔを有する形状とし、このトーションバネ４Ａの延設端部４ｔを挿通する嵌挿部８ａを前記スペーサ部材８に形成し、このスペーサ部材８の嵌挿部８ａに前記トーションバネ４Ａの延設端部４ｔを抱き込み被嵌状態に配してトーションバネ４Ａの端部側にスペーサ部材８を配した構成とすることで、前記回動抵抗を調整設定するこのスペーサ部材８によりトーションバネ４Ａの端部（延設端部４ｔ）を長い範囲（このスペーサ部材８の厚み分のストローク範囲）に亘ってしっかりと抱き込み保持し、トーションバネ４Ａの予期せぬ撓み変形やよじれ変形を防ぐ構成とすることも可能である。
【実施例】
【００４２】
本発明の具体的な実施例について図面に基づいて説明する。
【００４３】
本実施例は、ヒンジ装置Ｈを用いた電子機器として、図８に図示したように、折り畳み式の携帯電話に本発明を適用したもので、回路基板，電源などの電子部品をケース内に内装すると共に、上面側に操作部10を備えた板状の本体部を第一部材１（以下、本体部１）とし、この本体部１に重合して操作部10を覆う略同形状のディスプレイ部11を設けた板状の開閉部を第二部材２（以下、開閉部２）とし、本体部１に対して開閉部２を起伏回動自在にヒンジ装置Ｈにより軸着連結した構成としている。
【００４４】
そして、閉塞保持機構３により閉塞保持されている回動ロック状態において、本体部１の枢着部近傍の側部（図８参照）に形成した押し込み操作部３Ａ（リリースボタン）を押動操作するとこの回動ロック状態が解除され、本体部１に対して開閉部２が閉塞位置Ｐ１から開放回動付勢機構４の回動付勢により自動的に所定開放角度位置（図７に図示したように本体部１に対して開閉部２が１７０°開放した位置）まで開放回動する構成である。
【００４５】
本実施例では、図３及び図４に図示したように、本体部１の基部に取付孔１ａを設け、この取付孔１ａと連通状態に隣接する開閉部２の所定位置にも同じく取付孔２ａを設け、この夫々の取付孔１ａ，２ａに軸状パーツとして構成した本発明のヒンジ装置Ｈを装着する構成である。
【００４６】
本実施例のヒンジ装置Ｈについて説明する。
【００４７】
本実施例では、本体部１と共に回動するカム係合部６と、開閉部２と共に回動するカム部５とを設けると共に、このカム部５若しくはカム係合部６を係合離反方向にスライド移動自在に設ける。
【００４８】
具体的には、カム係合部６はケース状の取付体12に設けることとし、このケース状の取付体12内には、この取付体12に形成した前記カム係合部６に対して係合離反方向にスライド移動自在にカム部６を設けた構成とする。
【００４９】
更に具体的には、本体部１の取付孔１ａに対して回り止め形状としたケーシングを前記ケース状の取付体12とする。この取付体12は、図１，図２に図示したように、円筒状の胴体部12Ａの一端部の開口部に角筒状（取付孔１ａに対して回り止め形状）のキャップ体12Ｂを閉塞状態に配して互いに回り止め状態に止着固定した構成である。
【００５０】
そして、このキャップ体12Ｂの内面部に前記カム係合部６を設け、このカム係合部６として、図５に図示したように、後述のカム部５のカム凸部５Ａが落ち込み摺動する落ち込み摺動部６Ａをキャップ体12Ｂの内面部に凹没形成した構成である。
【００５１】
従って、本体部１の取付孔１ａにケース状の取付体12のキャップ体12Ｂを回り止め止着することでこの本体部１と共に取付体12が回動し、つまり本体部１と共に取付体12に設けたカム係合部６が回動することとなる。
【００５２】
この取付体12の胴体部12Ａの端部（前記キャップ体12Ｂを閉塞配設する一端部と反対側の他端部）には軸支孔16を形成しており、この取付体12の角筒状のキャップ体12Ｂ及び軸支孔16に連通状態に軸部材13を挿通軸支する。
【００５３】
また、軸部材13は、図１，２に図示したように、基端側に顎部13Ａを有して先端側を取付体12のキャップ体12Ｂ側から挿通軸支することでこのキャップ体12Ｂの外面側に軸部材13の顎部13Ａが位置決め当接される構成である。また、この軸部材13を取付体12に対して回動する際、図６に図示したように、この軸部材13の顎部13Ａの一部が取付体12のキャップ体12Ｂの外面側の一部に付き当たり当接することで取付体12に対する軸部材13の回動可能角度範囲が規制されるように構成している。
【００５４】
このケース状の取付体12に挿通軸支する軸部材13に対して回り止め形状とした筒状のカム部５をこの軸部材13に軸方向にスライド移動自在にして回り止め状態に被嵌して、このケース状の取付体12内に収納状態に配する。また、この筒状のカム部５の前記カム係合部６と対向する端縁部の一部をカム係合部６に向けて突出形成してカム凸部５Ａを設けている。
【００５５】
従って、この軸部材13をスライドガイドにしてカム部５と取付体12に設けたカム係合部６とが係合離反方向にスライド移動自在となる。
【００５６】
更にこのケース状の取付体12のキャップ体12Ｂを閉塞配設した一端部と反対側の他端部の外面側には、ポリワッシャ14を介して外方に回り止め取付体15を配し、このケース状の取付体12に挿通軸支した前記軸部材13の先端部をこの第一部材側取付体15に止着ピン15Ａを介して回り止め止着している。従って、図６に図示したように、この回り止め取付体15を回動すると、軸部材13とこの軸部材13に被嵌した筒状のカム部５とが一体に回動する構成である。
【００５７】
この回り止め取付体15は、開閉部２の取付孔２ａに対して回り止め形状に形成しており、従って、この回り止め取付体15を開閉部２の取付孔２ａに回り止め状態に止着固定することで、この開閉部２に対して回り止め取付体15及び軸部材13を介してカム部５が回り止めされ開閉部２とカム部５とが一体に回動する構成である。
【００５８】
以上の構成により、図３及び図４に図示したように、ケース状の取付体12に設けたカム係合部６は本体部１に回り止め状態に設けられ、この取付体12内に収納状態に配したカム部５は開閉部２に回り止め状態に設けられ且つこのカム部５が取付体12内でカム係合部６に対して係合離間方向にスライド移動自在に構成している。
【００５９】
また、本実施例ではこのカム部５とカム係合部６とが係脱して離反方向に移動した際に、この一方を係合方向に圧縮バネ７Ａにより係合付勢する係合付勢機構７を備えている。
【００６０】
具体的には、図３及び図４に図示したように、この圧縮バネ７Ａはケース状の取付体12に挿通軸支した軸部材13に被嵌状態にしてこのケース状の取付体12内に前記カム部５と共に収納状態に配した構成とする。
【００６１】
従って、カム係合部６に対してカム部５が前記圧縮バネ７Ａの係合付勢（バネ圧）により常時カム係合部６に対して係合方向（図３中，右方向）へと係合付勢される。
【００６２】
ところで、本実施例では、閉塞保持機構３を解除して本体部１に対して開閉部２を開放回動する際、この開閉部２の開放回動に伴い前記カム部５とカム係合部６とが係脱し離反方向に移動するように構成している。
【００６３】
具体的には、カム係合部６には、図５に図示したように、取付体12のキャップ体12Ｂの内面部に落ち込み摺動部６Ａを凹没形成し、一方このカム係合部６の落ち込み摺動部６Ａに対して摺動するカム凸部５Ａをカム部５に形成しており、図３及び図５に図示したように、本体部１に対して開閉部２が閉塞された状態（ＣＬＯＳＥ状態）ではカム凸部５Ａが落ち込み摺動部６Ａの底部近傍に位置され、カム部５とカム係合部６とはほぼ凹凸係合した状態（厳密には凹凸係合途中状態）となる。そして、この閉塞状態から本体部１に対して開閉部２が開放回動すると、カム係合部６の落ち込み摺動部６Ａをカム部５のカム凸部５Ａが落ち込み方向とは逆の脱出方向へと摺動し、これに伴いカム部５がカム係合部６に対して離反方向にスライド移動し、本体部１に対して開閉部２が所定の開放角度位置Ｐ２まで開放した状態（ＯＰＥＮ状態）では、図４及び図５に図示したように、カム凸部５Ａが落ち込み摺動部６Ａを完全に脱出して平坦な部位に移動し、カム部５はカム係合部６に対して最大離反位置となる構成である。
【００６４】
よって、閉塞状態から閉塞保持機構３を解除して本体部１に対して開閉部２が前記開放回動付勢機構４のトーションバネ４Ａの付勢により開放回動を開始すると、カム部５がカム係合部６に対して相対摺動回動すると共に離反方向にスライド移動することとなるが、前述したようにこのカム部５は係合付勢機構７の圧縮バネ７Ａによって係合方向に付勢されており、従って、この係合付勢機構７の係合付勢によりこのカム部５とカム係合部６とが係合していない状態から係合しようとする回動付勢力が生ずることとなる。
【００６５】
つまり、カム係合部６の落ち込み摺動部６Ａに対してカム部５のカム凸部５Ａが落ち込み摺動する方向に圧縮バネ７Ａの係合付勢が作用し、よって開閉部２に対して閉塞方向の回動付勢が生じ、これにより開閉部２の開放回動に対して回動抵抗が付与されることとなる。その為、このカム部５をカム係合部６に係合付勢する圧縮バネ７Ａのバネ圧の調整（係合付勢力の調整設定）に応じて前記開閉部２の開放回動に対する前記回動抵抗の大きさ（強さ）の調整設定が可能である。
【００６６】
そこで、本実施例では、図１〜図４に図示したように、係合付勢機構７の圧縮バネ７Ａの端部に当接する位置にスペーサ部材８を配した構成とし、このスペーサ部材８により圧縮バネ７Ａのバネ圧の調整設定を実施している。
【００６７】
詳述すると、圧縮バネ７Ａの端部がスペーサ部材８に弾圧当接して圧縮変形することとなる、つまり、例えば図３に図示したように、スペーサ部材８の厚み（ｄ）の分だけ圧縮バネ７Ａの全長（ｌ）が短く圧縮変形することとなるから、これによりカム部５に対する圧縮バネ７Ａの係合付勢が増大し、ひいては、この圧縮バネ７Ａの係合付勢による回動抵抗（閉塞方向の回動付勢力）が増大することとなる。
【００６８】
よって、このスペーサ部材８の大きさや厚みなどの形状設定により圧縮バネ７Ａの圧縮変形量を調整設定でき、これによって前記係合付勢機構７による前記回動抵抗（圧縮バネ７の係合付勢による閉塞方向の回動付勢力）の大きさ（強さ）を調整設定できる。
【００６９】
尚、図３，４に図示したように、このスペーサ部材８もまた、カム部５や圧縮バネ７Ａと同様にケース状の取付体12内に収納状態に配すると共に、中央部に前記軸部材13に対して回り止め形状の挿通孔を有する筒状に構成し、この軸部材13を介してカム部５と共に回動する構成としている。
【００７０】
また、このスペーサ部材８には、前記開放回動付勢機構４のトーションバネ４Ａのバネ端を嵌挿する嵌挿部８ａを設けている。
【００７１】
本実施例では、開放回動付勢機構４は上述の通りトーションバネ４Ａを用いる構成としているが、このトーションバネ４Ａは、図１及び図２に図示したように、端部を軸方向に沿って延設した延設端部４ｔを有する形状とすると共にケース状の取付体12内に収納状態に配する構成である。このトーションバネ４Ａは前記の圧縮バネ７Ａやカム部５より径大に形成し、図３及び図４に図示したように、ケース状の取付体12内に収納状態に配したこのトーションバネ４Ａ内に径小な前記圧縮バネ７Ａやカム部５を収納状態に配することとする。
【００７２】
このトーションバネ４Ａの一方の延設端部４ｔは取付体12の一端部のキャップ体12Ｂに設けたバネ端嵌挿部９に嵌挿して抱き込み被嵌状態に回り止めし、また、他方の延設端部４ｔは、図１〜図４に図示したように、取付体12内に配したスペーサ部材８の前記嵌挿部８ａに抱き込み被嵌状態に嵌挿すると共に取付体12の端部のバネ端遊嵌長孔17に挿通せしめ前記回り止め取付体15に設けたバネ端嵌挿部９に嵌挿して抱き込み被嵌状態に回り止めしており、これによりトーションバネ４Ａの一方の端部を開閉部２に回り止めし、他方の端部を本体部１に回り止めした構造としている。
【００７３】
即ち、圧縮バネ７Ａによる係合付勢を調整して開閉部２の開放回動に対する回動抵抗を調整設定できるこのスペーサ部材８により、トーションバネ４Ａの端部（延設端部４ｔ）をしっかりと抱き込み被嵌保持してトーションバネ４Ａが変な方向によじれ変形したり撓み変形することを阻止できるように構成している。
【００７４】
以上のように構成した本実施例のヒンジ装置Ｈは、前記閉塞保持機構３を解除することで、図６に図示したように、本体部１に対して開閉部２が閉塞位置Ｐ１から１７０°開放した開放角度位置Ｐ２（最大開放位置）まで自動で開放回動するように構成するが、この際、閉塞位置Ｐ１から所定の開放角度位置Ｐ２まで開閉部２が勢い良く一挙に開放回動するのではなく、図６に図示したように、前記開閉部２が本体部１に対して約９０°開放した中間部位置Ｐ３から１７０°開放した開放角度位置Ｐ２までの回動範囲においては、開閉部２の開放角度拡大による前記開放回動付勢機構４の回動付勢の減衰，及び係合付勢機構７による前記回動抵抗により開閉部２の勢いが減速して低速回動状態となり、この低速回動状態のまま開放回動付勢機構４の（弱まった）回動付勢若しくは開閉部２の自重により開放回動して所定の開放角度位置Ｐ２に到達し得るように、係合付勢機構７による回動抵抗を調整設定している。
【００７５】
本実施例の作用を更に説明すると、閉塞保持機構３を解除すると、トーションバネ４Ａに蓄積された回動付勢力により、本体部１に対して閉塞状態の開閉部２が勢い良く自動開放することとなる。この開閉部２の開放角度が拡大すると、トーションバネ４Ａの回動付勢力は徐々に減衰して開閉部２の回動の加速が徐々に小さくなる。加えて、図３に図示した閉塞状態から開閉部２が開放回動すると、カム部５がカム係合部６に対して係脱して圧縮バネ７Ａの係合付勢に抗して離反方向にスライド移動し、これによって圧縮バネ７Ａの係合付勢から生ずる前記回動抵抗（閉塞方向の回動付勢）が増大される。
【００７６】
そして、トーションバネ４Ａの徐々に減衰する開放回動付勢を越えて、圧縮バネ７Ａの係合付勢による回動抵抗、即ち閉塞回動付勢が増大した地点（本実施例では約９０°開放した中間部位置Ｐ３）から開閉部２が徐々に失速することとなり、ついには低速回動状態となって、前記トーションバネ４Ａの弱まった開放回動付勢又は開閉部２の自重，若しくはその双方によって低速回動状態を維持したまま所定の開放角度位置に到達するように前記圧縮バネ７Ａによる係合付勢力の調整、即ち回動抵抗を調整設定している。
【００７７】
尚、本体部１に対する開閉部２の開放回動によりカム部５がカム係合部６に対して徐々に離反方向にスライド移動するが、カム部５のカム凸部５Ａがカム係合部６の落ち込み摺動部６Ａから完全に脱出した位置でカム部５とカム係合部６とが最大離反位置となり、その後、カム凸部５Ａはカム係合部６の落ち込み摺動部６Ａの上方の平坦な摺動面を摺動するようにカム係合部６の形状を設定している。即ち、開閉部２が１７０°の開放角度位置に到達する少し前の回動途中でカム部５とカム係合部６とが最大離反位置を取り、その最大離反位置を維持したまま最大開放位置である１７０°の開放角度位置Ｐ２に到達するように設定している。これは、開放回動付勢機構４が弱まる最大開放位置近傍の回動範囲で更なるカム部５とカム係合部６とが離反スライドして回動抵抗（閉塞方向の回動付勢）が増大すると、開閉部２が最大開放位置へ到達せず逆に閉塞回動へ逆回動してしまう場合があるためであり、これを防ぐため、最大開放位置の近傍でカム部５とカム係合部６との離反スライドが停止するようにカム係合部６の形状を設定している。
【００７８】
本実施例は上述のように構成したから、ワンタッチ操作でディスプレイ部11を備えた開閉部２を自動開放でき、しかも、その際の開放回動の勢いで本体部１を手から不意に落下させてしまう問題も無い秀れたワンタッチオープン機能を実現する。
【００７９】
しかもこのような秀れたワンタッチオープン機能を実現する圧縮バネ７Ａの係合付勢の適切な調整設定は、単にケース状の取付体12内に介存せしめるスペーサ部材８の大きさや厚みなどの形状設定によって簡易に成し得る。即ち例えば、設計時にこのスペーサ部材８の形状を適宜設定しておくことで所望の回動抵抗を簡易に実現でき、また必要に応じてこのスペーサ部材８を異なる形状のものと交換するだけで回動抵抗を可変調整設定もできる汎用性に極めて秀れた構成であり、しかもそのような汎用性に秀れたヒンジ装置Ｈの構成をシンプルな構造で実現しているため量産性やコスト性においても秀れる。
【００８０】
本実施例は、上述した秀れた作用効果を発揮するヒンジ装置Ｈを、操作部10を備えた本体部１とディスプレイ部11を備えた開閉部２との枢着部に適用することで、極めて実用性に秀れた電子機器（折り畳み式携帯電話）を実現できる。
【００８１】
尚、本発明は、本実施例に限られるものではなく、各構成要件の具体的構成は適宜設計し得るものである。
【図面の簡単な説明】
【００８２】
【図１】本実施例に係るヒンジ装置Ｈの説明分解斜視図である。
【図２】本実施例に係るヒンジ装置Ｈの説明分解斜視図である。
【図３】本実施例に係るヒンジ装置Ｈを用いた電子機器の説明平断面図である。
【図４】本実施例に係るヒンジ装置Ｈを用いた電子機器の説明平断面図である。
【図５】本実施例に係るヒンジ装置Ｈの要部説明図である。
【図６】本実施例に係るヒンジ装置Ｈの説明斜視図である。
【図７】本実施例に係るヒンジ装置Ｈを用いた電子機器の開閉動作を示す図である。
【図８】本実施例に係るヒンジ装置Ｈを用いた電子機器の説明斜視図である。
【符号の説明】
【００８３】
１  第一部材
２  第二部材
３  閉塞保持機構
４  開放回動付勢機構
４Ａ  トーションバネ
４ｔ  延設端部
５  カム部
６  カム係合部
７  係合付勢機構
７Ａ  圧縮バネ
８  スペーサ部材
８ａ  嵌挿部
９  バネ端嵌挿部
10  操作部
11  ディスプレイ部
12  取付体
Ｈ  ヒンジ装置
Ｐ１  閉塞位置
Ｐ２  開放角度位置
Ｐ３  中間部位置
【図１】
2008275048.tif 000003
【図２】
2008275048.tif 000004
【図３】
2008275048.tif 000005
【図４】
2008275048.tif 000006
【図５】
2008275048.tif 000007
【図６】
2008275048.tif 000008
【図７】
2008275048.tif 000009
【図８】
2008275048.tif 000010